(57)【特許請求の範囲】
【請求項１】
中棒の上端部に親骨を軸止する上ロクロを固着すると共に、前記中棒の胴部に受骨を軸止して上下方向に移動可能に下ロクロを外嵌し、該下ロクロを上下方向に移動させることにより前記親骨に張設したシートを開いたり、畳むことができる傘であって、
前記上ロクロに、下縁より下向きに延びるスリーブ部を設け、該スリーブ部の外周部に軸に対して半径方向に貫通するスロットを設け、
前記下ロクロは、前記スリーブ部に外嵌可能な内径で上向き延びる上スリーブ部と、該上スリーブ部と連続した環状のロクロ部と、該ロクロ部の下部から延びる下スリーブ部とからなり、
前記上スリーブ部の外周部に、前記スリーブ部のスロットに対応し、軸に対して半径方向に貫通する略同寸法の通孔を形成し、且つ、
前記下ロクロの外周部に、長手方向に細長く延びて上端部が前記通孔に挿通される湾曲した鉤部と、前記受骨の先端と共に前記ロクロ部に枢止される中間位置の枢止部と、直交方向に取り付けた弾性部材に付勢されて前記下スリーブ部と離間する下端の押端部とからなるラッチ部材を設け、
前記下ロクロを上向きに押し、前記下ロクロの上スリーブ部が前記上ロクロのスリーブ部に外嵌し、前記上スリーブ部の通孔が前記上ロクロのスリーブのスロットと一致すると、前記弾性部材の付勢により前記ラッチ部材の鉤部が前記通孔と前記スロットに挿通して前記中棒の胴部に抵触することにより、前記親骨および受骨が開き状態に保持され、
前記ラッチ部材の押端部を前記下スリーブ部へ向けて押圧しながら下向きに移動することにより、前記鉤部が前記スロットから離間することにより開き状態にある親骨および受骨を畳むことができることを特徴とする傘。
【請求項２】
前記弾性部材として圧縮ばねを用いることを特徴とする請求項１に記載の傘。
【請求項３】
前記ラッチ部材の枢止部は、前記下ロクロに設けられた抱き線に枢止され、
前記抱き線は、前記下ロクロの外周に設けたリング状グローブに嵌め込んで装着されたことを特徴とする請求項１または請求項２に記載の傘。
【発明の詳細な説明】
【０００１】
【発明の属する技術分野】
本発明は傘に関し、特に、開き状態において中棒の強度を損なうことなく下ロクロを安定状態で定位置に位置決めできる位置決め装置を備えた傘に関する。
【０００２】
【従来の技術】
図５に示すように、従来の傘１Ａは、中棒１の胴部に溝孔１０１が開設され、この溝孔１０１に中棒１内に配設した上はじき２が位置するように構成されると共に、前記中棒１に沿って移動可能に下ロクロ３が外嵌されている。前記中棒１の下ロクロ３の上端部には、複数の受骨４の一端が放射状に枢止される。そして、この受骨４の他端には親骨（図示せず）が支持される。
【０００３】
前記下ロクロ３は、傘の開き状態における中棒１の上端位置と、折畳み状態における下端位置との間で、上下方向に移動可能である。そして、傘は、前記下ロクロ３が押動されることにより上向きに移動し、前記上端部において、前記下ロクロ３の下端縁が前記上はじき２の上端に係止されることによって、開き状態が維持される。
【０００４】
【発明が解決しようとする課題】
前記上はじき２は、下ロクロ３を係止して傘を開き状態に維持できるが、なおも下記の問題がある。
【０００５】
即ち、前記傘における中棒１は、通常中空状をなし、上はじき２を配置するための溝孔１０１は中棒１の胴部に開設されるため、中棒１の強度が損なわれる。そのため、傘を開ける際に中棒１が撓んだり、使用中に揺らいだり折れたりする恐れがある。なお、この中棒１の問題を解消し、その強度を維持して傘の信頼性を向上させることは至難である。
【０００６】
本発明は、前記従来の傘の問題点に鑑みてなされたもので、傘の中棒の強度を損うことなく、傘が使用状態の際に揺らいだりしないように定位置に位置決めできる位置決め装置を設けた傘を提供することを課題とする。
【０００７】
【課題を解決するための手段】
前記課題を解決するため、本発明の傘は、中棒の上端部に親骨を軸止する上ロクロを固着すると共に、前記中棒の胴部に受骨を軸止して上下方向に移動可能に下ロクロを外嵌し、該下ロクロを上下方向に移動させることにより前記親骨に張設したシートを開いたり、畳むことができる傘であって、前記上ロクロに、下縁より下向きに延びるスリーブ部を設け、該スリーブ部の外周部に軸に対して半径方向に貫通するスロットを設け、前記下ロクロは、前記スリーブ部に外嵌可能な内径で上向き延びる上スリーブ部と、該上スリーブ部と連続した環状のロクロ部と、該ロクロ部の下部から延びる下スリーブ部とからなり、前記上スリーブ部の外周部に、前記スリーブ部のスロットに対応し、軸に対して半径方向に貫通する略同寸法の通孔を形成し、且つ、前記下ロクロの外周部に、長手方向に細長く延びて上端部が前記通孔に挿通される湾曲した鉤部と、前記受骨の先端と共に前記ロクロ部に枢止される中間位置の枢止部と、直交方向に取り付けた弾性部材に付勢されて前記下スリーブ部と離間する下端の押端部とからなるラッチ部材を設け、前記下ロクロを上向きに押し、前記下ロクロの上スリーブ部が前記上ロクロのスリーブ部に外嵌し、前記上スリーブ部の通孔が前記上ロクロのスリーブのスロットと一致すると、前記弾性部材の付勢により前記ラッチ部材の鉤部が前記通孔と前記スロットに挿通して前記中棒の胴部に抵触することにより、前記親骨および受骨が開き状態に保持され、前記ラッチ部材の押端部を前記下スリーブ部へ向けて押圧しながら下向きに移動することにより、前記鉤部が前記スロットから離間することにより開き状態にある親骨および受骨を畳むことができる構成としている。
【０００８】
前記傘では、前記弾性部材として圧縮ばねを用いることが好ましい。
また、前記ラッチ部材の枢止部は、前記下ロクロに設けられた抱き線に枢止され、前記抱き線は、前記下ロクロの外周に設けたリング状グローブに嵌め込んで装着された構成とすることが好ましい。
【０００９】
【発明の実施の形態】
以下、本発明の実施の形態を図面に基づいて具体的に説明する。
図１は、本発明の傘１０Ａを畳んだ状態の概略側面図を示し、図２は、傘１０Ａの骨組を略した状態の部分斜視図である。これらの図１および図２に示すように、本発明の傘１０Ａは、中棒１０の上端部に固着し、親骨６０を軸止する上ロクロ２０と、前記中棒１０の胴部に上下方向に移動可能に外嵌し、受骨７０を軸止する下ロクロ３０とからなる。そして、前記下ロクロ３０を上下方向に移動させることにより、前記親骨６０に張設し、縫い合せにより形成した生地からなるシート５０を開けたり、畳むことができるものである。
【００１０】
前記上ロクロ２０は、下端縁より下向きに延びるスリーブ部２１を設けたものである。このスリーブ部２１の外周面には、前記中棒１０の軸に対して半径方向に貫通するスロット２２が形成される。即ち、このスロット２２は、スリーブ部２１の側部外面からその内部空間に連通するように開口されている。
【００１１】
前記下ロクロ３０は、前記上ロクロ２０のスリーブ部２１に外嵌可能な内径で上向き延びる上スリーブ部３５と、該上スリーブ部３５と連続する環状のロクロ部３１と、該ロクロ部３１の下部から延びる下スリーブ部３７とからなる。前記上スリーブ部３５には、前記スリーブ部２１のスロット２２に対応し、軸に対し半径方向に貫通する略同寸法の通孔３６が形成されるている。即ち、この通孔３６は、前記スロット２２と同様に、上スリーブ部３５の側部外面からその内部空間に連通するように開口されている。下ロクロ３０の中間に位置する前記ロクロ部３１の外周部には、所定の間隔をもって軸方向に沿って延びるように、前記受骨７０の先端を枢支するための複数の受溝３４，３４，・・・が設けられている。また、ロクロ部３１の外周部には、リング状のグローブ３２が設けられ、このグローブ３２内に輪状の抱き線３３が設けられる。
【００１２】
前記構成の下ロクロ３０の外周部には、前記スロット２２と同一直線上に位置するように、長手方向に沿って延びる細長い棒状のラッチ部材４０が設けられている。このラッチ部材４０は、下ロクロ３０を安定状態で定位置に位置決めする位置決め装置を構成する。このラッチ部材４０には、上端が直交方向に略Ｌ字形状に湾曲され、前記通孔３６に進入または進出可能なフック状の鉤部４２が設けられている。また、このラッチ部材４０の中間部には、前記ロクロ部３１の外周を長手方向に横切るスリットに装着する枢止部４１を有する。この枢止部４１は、前記ロクロ部３１に設けられた抱き線３３により枢止されている。さらに、このラッチ部材４０の下端は、弾性部材により常に離反する方向に付勢される押端部４３とされている。
【００１３】
さらに、前記下ロクロ３０の下スリーブ部３７の外周面には、前記ラッチ部材４０の下端に対向する穴３８が設けられている。この穴３８内には、弾性部材として圧縮ばね４４の一端が固定される。そして、前記ばね４４の他端は、前記ラッチ部材４０の押端部４３に配設することにより、該押端部４３を常時離反する方向に付勢する。
【００１４】
なお、本実施形態は弾性部材として圧縮ばね４４を用いたが、弾性により前記ラッチ部材４０の鉤部４２が前記通孔３６に挿通し、前記スロット２２内に係止させることができれば、その弾性部材の種類・形状は限定されることはない。
【００１５】
前記構成の傘１０Ａを開ける場合には、図３に示すように、前記下ロクロ３０を中棒１０に沿って上向きに押し上げて移動させる。そうすると、前記下ロクロ３０の上スリーブ部３５が前記上ロクロ２０のスリーブ部２１に外嵌する。そして、前記上スリーブ部３５の通孔３６が前記スリーブ部２１のスロット２２と一致すると、前記ラッチ部材４０が前記ばね４４の付勢力により、その鉤部４２が前記通孔３６に挿通して前記スロット２２に係止する。これにより、前記鉤部４２が中棒１０の胴部に抵触（接触）した状態で、傘１０Ａ（親骨６０および受骨７０）を開き状態に保持できる。
【００１６】
一方、図４に示すように、開き状態にある傘１０Ａを畳む場合には、前記ラッチ部材４０の下端の押端部４３をばね４４の付勢力に抗して前記中棒１０の胴部の方へ押圧する。そして、前記ラッチ部材４０の鉤部４２を前記スロット２２から進出させて離間させ、前記下ロクロ３０を下向きに移動させることにより、傘１０Ａを畳むことができる。
【００１７】
なお、本発明の傘は前記実施形態の構成に限定されず、種々の変形が可能である。
【００１８】
【発明の効果】
以上の説明から明らかなように、本発明の傘は、傘の中棒に従来例に示す溝孔を開設しないため、中棒の強度が損なわれることがない。そのため、傘を開ける際に中棒が撓んだり、使用中に揺らいだり折れたりする恐れがなく、中棒の強度の信頼性を向上できる。
【図面の簡単な説明】
【図１】本発明の実施形態に係る傘を畳んだ状態を示す側面図である。
【図２】骨組を略した状態における傘を開く際の上ロクロと下ロクロを示す拡大斜視図である。
【図３】実施形態の傘を開いたときの上ロクロと下ロクロとの嵌合状態を示す部分断面図である。
【図４】実施形態の傘を畳むときにラッチ部材の鉤部を上ロクロのスロットから進出させた状態を示す部分断面図である。
【図５】従来の傘を開いた状態の要部断面図である。
【符号の説明】
１０Ａ…傘
１０…中棒
２０…上ロクロ
２１…スリーブ部
２２…スロット
３０…下ロクロ
３１…ロクロ部
３２…グローブ
３３…抱き線
３４…受溝
３５…上スリーブ部
３６…通孔
３７…下スリーブ部
３８…穴
４０…ラッチ部材
４１…枢止部
４２…鉤部
４３…押端部
４４…圧縮ばね
５０…シート
６０…親骨
７０…受骨
【図１】
0003623176.tif 000002
【図２】
0003623176.tif 000003
【図３】
0003623176.tif 000004
【図４】
0003623176.tif 000005
【図５】
0003623176.tif 000006